(57)【要約】【課題】サブリフレクタを灯室内に設け、灯具の配光量を低下させずに前方の視認性を高める。【解決手段】灯室S内に、光源24とリフレクタ22を備え、光源24の外方かつリフレクタ22の前方に、表裏両側に反射面30a,30bを有し灯室S前後に延びるサブリフレクタ30を配置して、光源光の一部をサブリフレクタ30で前方上向き，下向きに照射させる。リフレクタ22で反射された光源光が灯具前方に照射されて、本来の配光が形成される。光源光の一部がサブリフレクタ上面30aで反射し前方上向きに照射L1されて、車両前方上方の視認性が向上する。光源光の一部L2がサブリフレクタ下面30bで反射され前方下向きに照射されて、灯具本来の配光量の低下を補う。【選択図】図２
2014154412.tif 000002
【特許請求の範囲】
【請求項１】
灯室内に、光源および前記光源光を前方に反射するリフレクタを備え、前記光源の外方かつ前記リフレクタの前方に、その表裏両側に反射面を有し灯室前後方向に延びるサブリフレクタが配置されて、前記光源光の一部が前記サブリフレクタの反射面で反射して灯具前方上向きおよび下向きにそれぞれ照射されるように構成されたことを特徴とする車両用灯具。
【請求項２】
前記サブリフレクタは、前記光源の発光中心と前記リフレクタの有効反射面の外縁を結ぶ直線より前方に配置されるとともに、前記リフレクタの有効反射面の外縁の外側には、前記光源光を前記サブリフレクタに反射する補助反射面が設けられたことを特徴とする請求項１に記載の車両用灯具。
【請求項３】
前記サブリフレクタは、左右一対の傾斜側壁を備えた正面視略Ｖ字またはＵ字形に構成されたことを特徴とする請求項１または２に記載の車両用灯具。
【請求項４】
前記サブリフレクタは、前記光源よりも上方に配置されるとともに、前記サブリフレクタの上面で前方上向きに反射された光の光路上にインナーレンズが設けられたことを特徴とする１〜３のいずれかに記載の車両用灯具。
【請求項５】
前記インナーレンズは、所定の色に着色されたことを特徴とする請求項４に記載の車両用灯具。
【発明の詳細な説明】
【技術分野】
【０００１】
本願発明は、高速道路等の頭上に設けられている標識、いわゆるオーバーヘッドサインなどの視認性に優れた車両用灯具に係り、特に、灯室内に設けたサブリフレクタによって光源光の一部を灯具前方上向きに照射することで、車両前方における視認性に優れた車両用灯具に関する。
【背景技術】
【０００２】
例えば「特許文献１」には、「灯室内に、光源（バルブ）を挿着したリフレクタが設けられ、リフレクタの前方所定位置には、平板状のサブリフレクタがほぼ水平に配置された構造で、リフレクタで反射され光源光の一部がサブリフレクタ上面でさらに反射されて灯室から前方上向きに出射して、オーバーヘッドサインを照射する車両用前照灯」が知られている。
【先行技術文献】
【特許文献】
【０００３】
【特許文献１】特開平６−３０９９０４号公報（段落００１５〜００２２、図１、２）
【発明の概要】
【発明が解決しようとする課題】
【０００４】
しかし、上記した先行文献では、灯具の所定の配光を形成するリフレクタの有効反射面での反射光の一部を、オーバーヘッドサイン照射用の配光として利用するため、灯具本来の配光量が低下する。一方、光源（バルブ）から斜め前方上向きに出射した光は、サブリフレクタ（の下面）で遮光されるだけであり、低下する灯具本来の配光量が補われることもない。
【０００５】
このため、従来の灯具では、オーバーヘッドサインの視認性が向上するものの、灯具本来の配光量が低下し、それだけ車両前方における視認性が低下する、という問題があった。
【０００６】
本発明は、前記従来技術の課題に鑑みてなされたもので、その目的は、灯具前方上向きの照射光を形成するサブリフレクタを灯室内に設けることで、灯具本来の配光量の低下を招くことなく、車両前方における視認性を高めることができる車両用灯具を提供することにある。
【課題を解決するための手段】
【０００７】
前記課題を解決するために、請求項１に係る車両用灯具においては、灯室内に、光源および前記光源光を前方に反射するリフレクタを備え、前記光源の外方かつ前記リフレクタの前方に、その表裏両側に反射面を有し灯室前後方向に延びるサブリフレクタを配置して、前記光源光の一部を前記サブリフレクタの反射面で反射して、灯具前方上向きおよび下向きにそれぞれ照射するように構成した。
【０００８】
（作用）光源光の大半は、リフレクタで反射されて灯具の前方に照射されることで、灯具本来の所定の配光が形成される。一方、光源光の一部は、サブリフレクタ上面で反射されて灯具前方上向きに照射されることで、車両前方上方領域、例えばオーバーヘッドサインの視認性が向上する。
【０００９】
なお、灯具本来の配光の形成に寄与する光源光（リフレクタの有効反射面での反射光）の一部がサブリフレクタ上面で反射されて灯具前方上向きに照射される場合は、灯具本来の配光量が低下するおそれがあるが、光源光の一部がサブリフレクタ下面で反射されて灯具前方下向きに照射され、この灯具前方下向きの照射光が、灯具本来の配光量の低下を補う。
【００１０】
請求項２においては、請求項１に記載の車両用灯具において、前記サブリフレクタを、前記光源の発光中心と前記リフレクタの有効反射面の外縁を結ぶ直線より前方に配置するとともに、前記リフレクタの有効反射面の外縁の外側に、前記光源光を前記サブリフレクタに反射する補助反射面を設けるように構成した。
【００１１】
（作用）光源からリフレクタの有効反射面に向かう光の光路上にサブリフレクタが存在しないので、光源からリフレクタの有効反射面に向かう光がサブリフレクタで遮光されることがなく、光源光の大半を灯具本来の配光を形成するために利用できる。即ち、灯具本来の配光量が確保される。
【００１２】
また、光源からリフレクタの有効反射面の外側に向かう、灯具本来の配光の形成に寄与しない光が、リフレクタの補助反射面で反射しさらにサブリフレクタ（の上面または下面）で反射して灯具前方（上向きまたは下向き）に照射されるので、灯具の配光量が増加する。
【００１３】
さらに、灯具本来の配光の形成に寄与しない光である、サブリフレクタにおける光源からの直射光が、サブリフレクタ（の上面または下面）で反射して灯具前方（上向きまたは下向き）に照射されるので、灯具の配光量が増加する。
【００１４】
請求項３においては、請求項１または２に記載の車両用灯具において、前記サブリフレクタを、左右一対の傾斜側壁を備えた正面視略Ｖ字またはＵ字形に構成した。
【００１５】
（作用）サブリフレクタ上面で反射して灯具前方上向きに照射される照射光は、車両前方左右に大きく拡散された配光となる。また、サブリフレクタ下面で反射して灯具前方下向きに照射される照射光は、車両前方左右に大きく拡散された配光となる。
【００１６】
請求項４においては、請求項１〜３のいずれかに記載の車両用灯具において、
前記サブリフレクタを前記光源より上方に配置するとともに、前記サブリフレクタの上面で前方上向きに反射された光の光路上にインナーレンズを設けるように構成した。
【００１７】
（作用）灯具前方上向き照射光の照射範囲、即ち、灯具前方上向き照射光の出射方向については、リフレクタの補助反射面やサブリフレクタの上面（反射面）の形状によって制御できるが、インナーレンズのレンズステップによっても制御できる。
【００１８】
請求項５においては、請求項４に記載の車両用灯具において、前記インナーレンズを所定の色に着色するように構成した。
【００１９】
（作用）点灯時には、灯室を画成する前面カバーのインナーレンズに対応する領域が所定の色に発光する。一方、非点灯時には、着色されたインナーレンズが、前面カバーを通して灯室内が透けて見えることを確実に抑制する。
【発明の効果】
【００２０】
以上の説明から明らかなように、本発明に係る車両用灯具によれば、灯具本来の配光量を低下させることなく、車両前方上方の視認性が上がるので、車両前方における視認性が大幅に向上する。
【００２１】
請求項２によれば、光源光の大半の光が灯具本来の配光として利用されることに加えて、灯具本来の配光の形成に寄与しない光源光もサブリフレクタを介して灯具の配光として利用されるので、車両前方における視認性が確実に向上する。
【００２２】
請求項３によれば、サブリフレクタ上面または下面でそれぞれ反射して灯具前方上向きまたは下向きに照射される照射光が車両前方左右に大きく拡散された配光となるので、車両前方左右広範囲の視認性が向上する。
【００２３】
請求項４によれば、リフレクタの補助反射面，サブリフレクタの上面（反射面）の形状およびインナーレンズのレンズステップを組み合わせて、灯具前方上向き照射光の出射方向を制御することができるので、灯具前方上向き照射光を形成する配光設計が容易となるとともに、サブリフレクタによる車両前方所定範囲の正確な照明が可能となる。
【００２４】
請求項５によれば、非点灯時にはアウターレンズを介して灯室内部が透けて見えず、点灯時にはアウターレンズの所定領域がインナーレンズの所定の色に発光するので、灯具における斬新な見栄えが確保される。
【図面の簡単な説明】
【００２５】
【図１】本発明の第１の実施例である自動二輪車用ヘッドランプの正面図である。
【図２】同ヘッドランプの縦断面図（図１に示す線II-IIに沿う断面図）である。
【図３】同ヘッドランプのすれ違いビームの配光を示す図で、（ａ）は直線走行時の配光を示す図、（ｂ）は左にカーブするバンク走行時の配光を示す図ある。
【図４】（ａ）はサブリフレクタの上面で反射された光源光の出射方向を示す図、（ｂ）はサブリフレクタの上面で反射された光源光によって形成される配光を示す図である。
【図５】（ａ）はサブリフレクタの下面で反射された光源光の出射方向を示す図、（ｂ）はサブリフレクタの下面で反射された光源光によって形成される配光を示す図である。
【図６】サブリフレクタの形状を変更した第１の実施例の変形例を示し、（ａ）はサブリフレクタの下面および上面で反射された光源光の出射方向を示す図、（ｂ）はサブリフレクタの下面および上面で反射された光源光によって形成される配光を示す図である。
【図７】本発明の第２の実施例である自動二輪車用ヘッドランプの正面図である。
【図８】同ヘッドランプの縦断面図（図７に示す線VIII-VIIIに沿う断面図）である。
【発明を実施するための形態】
【００２６】
本発明を実施するための形態を実施例に基づいて説明する。
【００２７】
図１〜６は、本発明を自動二輪車用ヘッドランプに適用した第１の実施例を示す。
【００２８】
図１および図２において、自動二輪車用ヘッドランプ１０は、前方の開口する容器状のランプボディ１２と、ランプボディ１２の前面開口部に組み付けられた透明な前面カバー１４によって画成された灯室Ｓを備え、灯室Ｓ内には、所定の配光を形成する光源ユニット２０が収容されている。
【００２９】
光源ユニット２０は、リフレクタ２２のバルブ挿着孔２３に光源であるバルブ２４が挿着一体化されており、リフレクタ２２とランプボディ１２間に介装された図示しないエイミング機構によって、上下左右方向に傾動調整可能（光源ユニット２０の光軸Ｌが傾動調整可能）に構成されている。
【００３０】
リフレクタ２２は、放物面形状の有効反射面２２ａ，２２ｂ（光軸Ｌより上側の反射面を２２ａ、下側の反射面を２２ｂで示す）を備え、一方、バルブ２４は、すれ違いビーム形成用の光源である前方の第１のフィラメント２６ａと、すれ違いビームおよび走行ビーム形成用の光源である後方の第２のフィラメント２６ｂとを、光軸Ｌ上に備えている。
【００３１】
詳しくは、第１のフィラメント２６ａは、リフレクタ２２の有効反射面２２ａ，２２ｂの焦点Ｆよりも前方に配置されるとともに、第１のフィラメント２６ａの下方には、第１のフィラメント２６ａから下側の有効反射面２２ｂに向かう光を遮光するシェード２７が設けられている。このため、第１のフィラメント２６ａの発光の大半は、リフレクタ２２の上側有効反射面２２ａで反射されて、図２の符号Ｌａに示すように、前面カバー１４を透過してランプ前方下向きに出射して、所定のすれ違いビームの配光Ｐａ（図３参照）を形成する。
【００３２】
一方、第２のフィラメント２６ｂは、リフレクタ２２の有効反射面２２ａの焦点Ｆ上に配置されており、フィラメント２６ｂの発光は、上下の有効反射面２２ａ，２２ｂで反射されて、図２の符号Ｌｂに示すように、光軸Ｌと略平行な光Ｌｂとなって前面カバー１４を透過してランプ前方に出射し、所定の走行ビーム用の配光（図示せず）を形成し、前記したすれ違いビームの配光Ｐａ（図３参照）と合成されることで、所定の走行ビームの配光（図示せず）を形成する。
【００３３】
なお、図２の符号２８は、バルブ２４先端部に設けられたブラックトップと称される、グレア光発生防止用の遮光塗装部である。
【００３４】
また、灯室Ｓ内のバルブ２４より上方であってリフレクタ２２の前方には、その表裏（上下）両側に反射面３２ａ，３２ｂを有し灯室Ｓの前後方向に延びるサブリフレクタ３０が、例えば、前面カバー１２とリフレクタ２２間に配設されたエクステンションリフレクタ（図示せず）に固定されて水平に配置されている。
【００３５】
さらに、灯室Ｓ内のサブリフレクタ３０の前方には、例えば、エクスステンションリフレクタ（図示せず）に一体化されたインナーレンズ４０が、サブリフレクタ３０の上面３０ａで反射されてランプ前方上向きに照射される光の光路を横切るように配置されている。
【００３６】
一方、リフレクタ２２の上側有効反射面２２ａの外縁２２ａ１の外側には、サブリフレクタ３０に向けて光源光を反射する補助反射面２２ｃが一体的に形成されている。
【００３７】
そして、図１の符号Ｌ１，Ｌ２に示すように、第１のフィラメント２６ａの発光の一部がサブリフレクタ３０によってランプ前方上向きおよび下向きにそれぞれ照射されるように構成されている。
【００３８】
詳しくは、サブリフレクタ３０は、図１に示すように、左右一対の対向する傾斜側壁３１，３１を備えた正面視略Ｖ字形に形成されるとともに、図２に示すように、第１のフィラメント２６ａの発光中心とリフレクタ２２の上側有効反射面２２ａの外縁２２ａ１を結ぶ直線Ｌ０より前方に配置されて、第１のフィラメント２６ａの発光のうち、もっぱらランプの配光に寄与しない光がリフレクタ２２の補助反射面２２ｃによってサブリフレクタ３０（の反射面３０ａ）に導かれるようになっている。
【００３９】
このため、第１には、第１のフィラメント２６ａからリフレクタ２２の有効反射面２２ａに向かう光の光路上にサブリフレクタ３０が存在しないので、第１のフィラメント２６ａからリフレクタ２２の有効反射面２２ａに向かう光（すれ違いビームおよび走行ビームの配光の形成に寄与する光）がサブリフレクタ３０で遮光されることがなく、第１のフィラメント２６ａの発光の大半をランプ本来の配光（すれ違いビームおよび走行ビームの配光）を形成するために利用できる。同様に、第２のフィラメント２６ｂからリフレクタ２２の有効反射面２２ａに向かう光（走行ビームの配光の形成に寄与する光）もサブリフレクタ３０で遮光されることがなく、第２のフィラメント２６ｂの発光の大半をランプ本来の配光（走行ビームの配光）を形成するために利用できる。
【００４０】
さらに、正面視略Ｖ字形に形成されたサブリフレクタ３０は、光軸Ｌに対し平行に配置されているので、リフレクタ２２の有効反射面２２ａ，２２ｂで反射された光（すれ違いビームや走行ビームの配光の形成に寄与する光）がサブリフレクタ３０で遮光されず、サブリフレクタ３０が適正なすれ違いビームおよび走行ビームの配光の形成を妨げることはない。
【００４１】
即ち、すれ違いビームおよび走行ビームのいずれにおいても、灯室Ｓ内にサブリフレクタ３０を設けない場合に確保できる配光量と同等の配光量が確保される。
【００４２】
第２には、サブリフレクタ３０が、第１のフィラメント２６ａの発光中心とリフレクタ２２の上側有効反射面２２ａの外縁２２ａ１を結ぶ直線Ｌ０より前方に配置されることで、第１のフィラメント２６ａの発光の一部が補助反射面２２ｃで反射された後、図２符号Ｌ１で示すように、サブリフレクタ３０の上面３０ａで反射されてランプ前方上向きに照射されるが、反射面であるサブリフレクタ３０の上面３０ａが正面視Ｖ字形状に傾斜するため、その照射光は、図４（ａ）に示すように、車両幅方向外側に大きく拡散されて、図４（ｂ）に示すように、道路幅方向外側における水平線より上方の広範囲の領域ＰＳａを照明する。
【００４３】
一方、第１のフィラメント２６ａの発光のうち、補助反射面２２ｃよりも前方に向かう光は、図２符号Ｌ２で示すように、サブリフレクタ３０の下面３０ｂで反射されてランプ前方下向きに照射されるが、反射面であるサブリフレクタ３０の下面３０ｂが正面視Ｖ字形状に傾斜するため、その照射光は、図５（ａ）に示すように、車両幅方向外側に大きく拡散されて、図５（ｂ）に示すように、道路幅方向外側における水平線より下方の広範囲の領域ＰＳｂを照明する。
【００４４】
したがって、すれ違いビームの配光Ｐａには、サブリフレクタ３０によって形成される配光ＰＳａ，ＰＳｂが付加されることで、図３に示すように、車両前方左右方向広範囲の領域が照明されるので、車両前方における視認性が大幅に向上する。
【００４５】
なお、第２のフィラメント２６ｂの発光の一部も、補助反射面２２ｃで反射された後、サブリフレクタ３０の上面３０ａで反射されてランプ前方上向きに照射され、かつ車両幅方向外側に大きく拡散されて、第１のフィラメント２６ａの発光によって形成される照射光とほぼ同様の範囲（図４（ｂ）参照）を照明する。
【００４６】
さらに、第２のフィラメント２６ｂの発光のうち、サブリフレクタ３０の下面３０ｂで反射してランプ前方下向きに照射される照射光も、車両幅方向外側に大きく拡散されて、第１のフィラメント２６ａの発光によって形成される照射光とほぼ同様の範囲（図５（ｂ）参照）を照明する。
【００４７】
したがって、走行違いビームの配光にも、サブリフレクタ３０によって形成される配光ＰＳａ，ＰＳｂ（図４，５参照）が付加されることで、車両前方左右方向広範囲の領域が照明されるので、車両前方における視認性が大幅に向上する。
【００４８】
また、サブリフレクタ３０の前方に配置されたインナーレンズ４０は、青色に着色されており、ランプ点灯時には、アウターレンズ１２のインナーレンズ４０に対応する領域が青く発光し、一方、非点灯時には、青く着色されたインナーレンズ４０によって、前面カバー１４を通して灯室Ｓ内が透けて見えることが確実に抑制されるので、ランプ１０の斬新な見栄えが確保されている。
【００４９】
また、ランプの照明光の一部が青色であることは、夕暮れ時のブルキエン現象（明るい場所から暗い場所に急に移動すると、目の明るさの感度特性が短波長側に移動する現象）によって青色が相対的に明るく見えるため、車両前方の視認性が向上する、
なお、サブリフレクタ３０の上面（反射面）３０ａで形成される上向きの左右拡散光の照射方向は、リフレクタ２２の補助反射面２２ｃの形状，サブリフレクタ３０の上面（反射面）３０ａの形状およびインナーレンズ４０のレンズステップを組み合わせることで、道路幅方向外側における水平線より上方の広範囲の所定の領域ＰＳａを正確に照明できるように設定されている。
【００５０】
また、本実施例では、以下の効果が奏される。
【００５１】
バルブ２４からリフレクタ２２の有効反射面２２ａの外側に向かう、ランプ１０本来の配光の形成に寄与しない光が、リフレクタ２２の補助反射面２２ｃで反射され、さらにサブリフレクタ３０で反射されてランプ１０の前方上向きかつ左右に拡散配光される（図４（ｂ）の符号ＰＳａ参照）ことで、道路幅方向外側における水平線より上方の広範囲の領域の視認性が向上する。
【００５２】
さらに、ランプ１０の配光の形成に寄与しない光である、サブリフレクタ３０における光源直射光が、サブリフレクタ３０の下面３０ｂで反射されてランプ１０の前方下向きかつ左右に拡散配光される（図５（ｂ）の符号ＰＳｂ参照）ことで、道路幅方向外側における水平線より下方の広範囲の領域の視認性が向上する。
【００５３】
特に、本実施例では、サブリフレクタ３０の上面３０ａで反射されてランプ前方上向きに照射される光によって、直線走行時には、図４（ｂ）に示すように、道路幅方向外側における水平線より上方の広範囲の領域ＰＳａが照明されるが、バンク走行時には、図３（ｂ）符号ＰＳａで示すように、カーブしている道路の走行方向の遠方が照明されることになるため、バンク走行時の前方の視認性が優れている。
【００５４】
図６は、図１における符号３０で示すサブリフレクタの形状を変更した第１の実施例の変形例を示す。
【００５５】
前記した第１の実施例のヘッドランプ１０では、サブリフレクタ３０が、左右一対の対向する傾斜側壁３１，３１を備えた正面視略Ｖ字形に形成されているのに対し、この変形例に係るヘッドランプ１０Ａでは、サブリフレクタ３０Ａが、平板状底面壁３１ｂの幅方両側に左右一対の対向する傾斜側壁３１ａ，３１ａが形成された正面視略Ｕ字形に形成されている。
【００５６】
このため、サブリフレクタ３０Ａで形成される照射光は、図６（ａ）に示すように、平板状底面壁３１ｂの上面および下面でそれぞれ反射してランプ前方上向きおよび下向きにそれぞれ照射される分、車両前方における照射範囲が拡大されている。
【００５７】
即ち、バルブ２４の発光の一部が、リフレクタ２２の補助反射面２２ｃで反射された後、サブリフレクタ３０Ａの上面３０ａ’で反射されることで形成される、ランプ前方上向き照射光は、車両前方から幅方向外側に大きく拡散されて、図６（ｂ）符号ＰＳａ’に示すように、道路上方から道路幅方向外側における水平線より上方の広範囲の領域を照明する。
【００５８】
一方、バルブ２４の発光の一部が、サブリフレクタ３０の下面３０ｂ’で反射されることで形成される、ランプ前方下向きの照射光は、車両前方から幅方向外側に大きく拡散されて、図６（ｂ）符号ＰＳｂ’に示すように、水平線より下方の道路手前から左右の広範囲の領域を照明する。
【００５９】
このため、本実施例のヘッドランプ１０Ａでは、オーバーヘッドサインを含む車両前方における広範囲の視認性に優れた配光が得られる。
【００６０】
その他の構造は、前記した第１の実施例のヘッドランプ１０と同一であり、同一の符号を付すことで、その説明は省略する。
【００６１】
図７および図８は、本発明の第２の実施例である自動二輪車用ヘッドランプを示す。
【００６２】
前記した実施例のランプ１０，１０Ａでは、灯室Ｓ内のバルブ２４より上方であってリフレクタ２２の前方所定位置にサブリフレクタ３０，３０Ａが配置されて、バルブ２４（の第１，第２のフィラメント２６ａ，２６ｂ）の発光の一部がサブリフレクタ３０，３０Ａを介してランプ前方上向きおよび下向きにそれぞれ照射されるように構成されて、すれ違いビームおよび走行ビームの双方における車両前方の視認性が改善されている。
【００６３】
これに対し、この第２の実施例のランプ１０Ｂでは、灯室Ｓ内のバルブ２４より下方であってリフレクタ２２の前方所定位置にサブリフレクタ３０Ｂが水平に配置されて、バルブ２４（の第２のフィラメント２６ｂ）の発光の一部がサブリフレクタ３０Ｂを介してランプ１０Ｂの前方上向きおよび下向きにそれぞれ照射されるように構成されて、走行ビームにおける車両前方の視認性が改善されている。
【００６４】
詳しくは、サブリフレクタ３０Ｂは、図８に示すように、バルブ２４の第２のフィラメント２６ｂの発光中心とリフレクタ２２の下側有効反射面２２ｂの外縁２２ｂ１を結ぶ直線Ｌ０よりも前方に配置されることで、第２のフィラメント２６ｂの発光のうち、もっぱらランプの配光に寄与しない光がリフレクタ２２の補助反射面２２ｄによってサブリフレクタ３０Ｂ（の反射面３０ｂ）に導かれるようになっている。即ち、バルブ２４（第２のフィラメント２６ｂ）の発光の大半は、遮光されることなくリフレクタ２２の下側有効反射面２２ｂに向かうため、ランプ１０Ｂの本来の配光量が確保される。
【００６５】
また、サブリフレクタ３０Ｂは、図７に示すように、前記した第１の実施例のランプ１０に用いたサブリフレクタ３０と同様、左右一対の対向する傾斜側壁３１，３１を備えた正面視略Ｖ字形に形成されるとともに、リフレクタ２２の下側の有効反射面２２ｂの外縁２２ｂ１の外側には、バルブ２４（第２のフィラメント２６ｂ）の発光をサブリフレクタ３０Ｂの下面３０ｂに向けて反射する補助反射面２２ｄがリフレクタ２２に一体的に形成されている。
【００６６】
このため、第２のフィラメント２６ｂの発光の一部が補助反射面２２ｄで反射された後、図８符号Ｌ４で示すように、サブリフレクタ３０Ｂの下面３０ｂで反射されてランプ前方下向きに照射されるが、反射面であるサブリフレクタ３０Ｂの下面３０ｂが正面視Ｖ字形状に傾斜するため、その照射光は、車両幅方向外側に大きく拡散されて、水平線より下方であって道路の左右外側の広範囲の領域ＰＳｂ（図５（ｂ）参照）を照明する。
【００６７】
一方、第２のフィラメント２６ｂの発光の一部（第２のフィラメント２６ｂの発光のうち、補助反射面２２ｄよりも前方に向かう光）が、図８符号Ｌ３で示すように、サブリフレクタ３０Ｂの上面３０ａで反射され、前面カバー１４に一体化されたインナーレンズ４０Ａを透過してランプ前方上向きに照射されるが、反射面であるサブリフレクタ３０Ｂの上面３０ａが正面視Ｖ字形状に傾斜するため、その照射光は、車両幅方向外側に大きく拡散されて、水平線より上方であって道路の左右外側の広範囲の領域ＰＳａ（図４（ｂ）参照）を照明する。
【００６８】
また、前記した第１の実施例では、サブリフレクタ３０の上面３０ａで反射された前方上向き照射光Ｌ１の光路を横切るように、インナーレンズ４０がエクスステンションリフレクタに一体化されて配置されているが、本実施例では、前記したように、サブリフレクタ３０Ｂの上面３０ａで反射された前方上向き照射光Ｌ３の光路を横切るように、青く着色されたインナーレンズ４０Ａが透明な前面カバー１２に一体成形されている。
【００６９】
なお、サブリフレクタ３０Ｂに対応する前面カバー１４内側にインナーレンズ４０Ａが設けられていることから、リフレクタ２２の有効反射面２２ａで反射して所定のすれ違いビームや走行ビームの配光の形成に寄与する光の一部がインナーレンズ４０Ａを透過することになるが、インナーレンズ４０Ａを透過する際に光は下向きに屈折するため、所定のすれ違いビームや走行ビームの配光の形成を妨げることはない。
【００７０】
その他の構造は、前記した第１の実施例のヘッドランプ１０と同一であり、同一の符号を付すことで、その説明は省略する。
なお、前記した第１，第２の実施例では、自動二輪車用ヘッドランプについて説明したが、本発明は、自動二輪車用に限られるものではなく、自動車用のヘッドランプについても適用できることは言うまでもない。
【符号の説明】
【００７１】
１０，１０Ａ，１０Ｂ  自動二輪車用ヘッドランプ
１２  ランプボディ
１４  前面カバー
Ｓ  灯室
２０  光源ユニット
Ｌ  光軸
２２  リフレクタ
２２ａ，２２ｂ  リフレクタの有効反射面
Ｆ  リフレクタの有効反射面の焦点
２２ｃ，２２ｄ  リフレクタの補助反射面
２４  光源であるバルブ
２５  ブラックトップ（遮光塗装部）
２６ａ  すれ違いビーム用の光源体である第１のフィラメント
２６ｂ  走行ビーム用の光源体である第２のフィラメント
２８  ブラックトップ
３０，３０Ａ，３０Ｂ  サブリフレクタ
３０ａ，３０ａ’  サブリフレクタの上側反射面
３０ｂ，３０ｂ’  サブリフレクタの下側反射面
３１，３１ａ  傾斜側壁
３１ｂ  平板状底面壁
４０，４０Ａ  インナーレンズ
【図１】
2014154412.tif 000003
【図２】
2014154412.tif 000004
【図３】
2014154412.tif 000005
【図４】
2014154412.tif 000006
【図５】
2014154412.tif 000007
【図６】
2014154412.tif 000008
【図７】
2014154412.tif 000009
【図８】
2014154412.tif 000010